(57)【要約】【課題】  記憶媒体の所持者に対し、視覚的に本人確認を行なえるようにした携帯電話機、及び携帯電話機を利用した本人確認方法及びシステムを提供する。【解決手段】  認証アプリケーションプログラムが搭載された携帯電話機を起動させるステップと、前記携帯電話機の撮影手段により、本人確認を行なうための被写体の撮影を行ない、該携帯電話機の記憶手段に撮影した画像を記憶させるステップと、記憶媒体の所持者に対する本人確認を行なう際に、前記記憶媒体がセットされた前記処理装置から前記携帯電話機に対して、前記携帯電話機の記憶手段に記憶された画像を、前記携帯電話機の表示手段に表示させるための信号を送信するステップと、前記携帯電話機が該信号を受信した場合に、前記携帯電話機の記憶手段に登録されている画像を前記携帯電話機の表示手段に表示させるステップと、からなることを特徴とする。【選択図】        図１
2006059205.tif 000002
【特許請求の範囲】
【請求項１】
記憶媒体の所持者に対して、携帯電話機の表示手段に表示させた画像に基づき、視覚的に本人確認を行なえるようにした携帯電話機を利用した本人確認方法であって、
認証アプリケーションプログラムが搭載された携帯電話機を起動させるステップと、
前記携帯電話機の撮影手段により、前記所持者の本人確認を行なうための被写体の撮影を行ない、該携帯電話機の記憶手段に撮影した画像を記憶させるステップと、
記憶媒体の所持者に対する本人確認を行なう際に、前記記憶媒体がセットされた前記処理装置から前記携帯電話機に対して、前記携帯電話機の記憶手段に記憶された画像を、前記携帯電話機の表示手段に表示させるための信号を送信するステップと、
前記携帯電話機が該信号を受信した場合に、前記携帯電話機の記憶手段に登録されている画像を前記携帯電話機の表示手段に表示させるステップと、
からなることを特徴とする携帯電話機を利用した本人確認方法。
【請求項２】
前記処理装置から前記携帯電話機に対して、前記携帯電話機の記憶手段に記憶された画像を表示手段に表示させるための信号を送信する場合に、
前記携帯電話機の記憶手段に記憶された認証用情報を処理装置で読み取るステップと、
前記処理装置において、読み取った認証用情報と、前記処理装置に予め登録されている認証用情報との照合処理を行なうステップと、
前記認証用情報による照合処理で照合一致した場合に、前記処理装置から前記携帯電話機に対して、前記信号を送信することを特徴とする請求項１記載の携帯電話機を利用した本人確認方法。
【請求項３】
前記処理装置から前記携帯電話機に対して、前記携帯電話機の記憶手段に記憶された画像を、前記携帯電話機の表示手段に表示させるための信号を送信する場合に、
前記携帯電話機の記憶手段に記憶された認証用情報を処理装置で読み取るステップと、
前記処理装置から通信回線を介してサーバに認証用情報を送信するステップと、
前記サーバにおいて、該サーバに予め登録されている認証用情報との照合処理を行なうステップと、
前記サーバから前記処理装置に対して、認証用情報による照合処理の結果を送信するステップと、
前記処理装置で受信した照合処理の結果が一致した場合に、前記前記処理装置から前記携帯電話機に対して、前記信号を送信することを特徴とする請求項１記載の携帯電話機を利用した本人確認方法。
【請求項４】
前記記憶媒体が、クレジットカードであることを特徴とする請求項１記載の携帯電話機を利用した本人確認方法。
【請求項５】
前記被写体が、記憶媒体の所持者における身体の一部分、または記憶媒体の所持者が所持する物品のいづれかであることを特徴とする請求項１記載の携帯電話機を利用した本人確認方法。
【請求項６】
本人確認用に撮影された画像が記憶された記憶手段と、処理装置から画像を表示させるための指示信号を受信する手段と、前記指示信号を受信した場合に、前記記憶手段に記憶されている画像を表示する表示手段とを有することを特徴とする携帯電話機。
【請求項７】
記憶媒体と、処理装置と、携帯電話機とにより、前記携帯電話機の表示手段に表示させた画像に基づき、前記記憶媒体の所持者について、視覚的に本人確認を行なえるようにした携帯電話機を利用した本人確認システムであって、
前記携帯電話機は、認証アプリケーションプログラムが記憶された記憶手段と、前記所持者の本人確認を行なうための被写体の撮影を行なう撮影手段と、前記撮影手段で撮影された画像データを前記記憶手段に記憶させる画像登録手段と、表示手段と、処理装置からの信号を受信した場合に前記記憶手段に記憶されている画像データを前記表示手段に表示させる制御手段と、を有し、
前記処理装置は、前記記憶媒体が前記処理装置にセットされた場合に、前記携帯電話機に対して、前記携帯電話機の記憶手段に記憶された画像データを、前記携帯電話機の表示手段に表示させるための信号を送信する手段を有する、
ことを特徴とする携帯電話機を利用した本人確認システム。
【発明の詳細な説明】
【技術分野】
【０００１】
本発明は、クレジットカードや身分カードなどの記憶媒体の所持者に対して、携帯電話機を用いて、視覚的に本人確認を行なえるようにした携帯電話機、及び携帯電話機を利用した本人確認方法及びシステムに関する。
【背景技術】
【０００２】
従来、クレジットカードや身分カードなどの記憶媒体を個人に発行し、それらの記憶媒体を個人に所持してもらい、サービス提供時やゲートチェック時などの際に記憶媒体を相手に提示することで、本人であることの確認を行なう方法が実施されている。
しかしながら、これらの記憶媒体は、偽造や変造されることもあり、これらの偽造媒体や変造媒体を所持して本人になりすまして不正行為を行なう場合もあり、記憶媒体を持っていることだけで本人と認証できないという問題がある。
【０００３】
例えば、他人のカードを盗み取り、カードの顔写真の部分だけを貼りかえるなどして変造してしまえば、不正行為を行なう第三者の顔と、カードの顔画像とが一致し、本人確認を行なう相手を簡単に騙せることになる。
したがって、本人認証を行なう際に、記憶媒体に設けられている顔写真だけでは不十分であり、更に他の方法を用いて本人確認を行なう必要がある。
【０００４】
このようなことから、従来技術として、予め本人の身体的な特徴を照合用のデータとして記憶手段に登録させておき、訪れた本人自身を撮影した映像データや、本人の身体の一部をセンサーなどの読取装置で読み取ったデータなどと照合処理することで、本人確認を行なう方法が知られている。（例えば、特許文献１及び２、参照）
【特許文献１】特開平１１−１４４０６０号公報
【特許文献２】特開平１１−２０３４７９号公報  しかしながら、これらの身体的特徴を照合用データとして用いる方法では、身体的特徴を読み取るためのカメラやセンサーなどの読み取り装置を用意したり、照合用のプログラムや処理装置を用意するなどの設備を備えなければならず、コストもかかり、また設備上も大掛かりとなり簡単に導入することができないという問題がある。
【発明の開示】
【発明が解決しようとする課題】
【０００５】
本発明は、クレジットカードや身分カードなどの記憶媒体の所持者に対して、大掛かりな設備を用意することなく、また少ないコストにより簡単な方法で、視覚的に本人確認を行なえるようにした携帯電話機、及び携帯電話機を利用した本人確認方法及びシステムを提供する。
【課題を解決するための手段】
【０００６】
本発明の携帯電話機を利用した本人確認方法は、記憶媒体の所持者に対して、携帯電話機の表示手段に表示させた画像に基づき、視覚的に本人確認を行なえるようにした携帯電話機を利用した本人確認方法であって、認証アプリケーションプログラムが搭載された携帯電話機を起動させるステップと、前記携帯電話機の撮影手段により、前記所持者の本人確認を行なうための被写体の撮影を行ない、該携帯電話機の記憶手段に撮影した画像を記憶させるステップと、記憶媒体の所持者に対する本人確認を行なう際に、前記記憶媒体がセットされた前記処理装置から前記携帯電話機に対して、前記携帯電話機の記憶手段に記憶された画像を、前記携帯電話機の表示手段に表示させるための信号を送信するステップと、前記携帯電話機が該信号を受信した場合に、前記携帯電話機の記憶手段に登録されている画像を前記携帯電話機の表示手段に表示させるステップと、からなることを特徴とする。
【０００７】
また、本発明の携帯電話機を利用した本人確認方法は、前記処理装置から前記携帯電話機に対して、前記携帯電話機の記憶手段に記憶された画像を表示手段に表示させるための信号を送信する場合に、前記携帯電話機の記憶手段に記憶された認証用情報を処理装置で読み取るステップと、前記処理装置において、読み取った認証用情報と、前記処理装置に予め登録されている認証用情報との照合処理を行なうステップと、前記認証用情報による照合処理で照合一致した場合に、前記処理装置から前記携帯電話機に対して、前記信号を送信することを特徴とする。
【０００８】
更に、本発明の携帯電話機を利用した本人確認方法は、前記処理装置から前記携帯電話機に対して、前記携帯電話機の記憶手段に記憶された画像を、前記携帯電話機の表示手段に表示させるための信号を送信する場合に、前記携帯電話機の記憶手段に記憶された認証用情報を処理装置で読み取るステップと、前記処理装置から通信回線を介してサーバに認証用情報を送信するステップと、前記サーバにおいて、該サーバに予め登録されている認証用情報との照合処理を行なうステップと、前記サーバから前記処理装置に対して、認証用情報による照合処理の結果を送信するステップと、前記処理装置で受信した照合処理の結果が一致した場合に、前記前記処理装置から前記携帯電話機に対して、前記信号を送信することを特徴とする。
【０００９】
また、本発明の携帯電話機を利用した本人確認方法は、前記記憶媒体が、クレジットカードであることを特徴とする。
【００１０】
更に、本発明の携帯電話機を利用した本人確認方法は、前記被写体が、記憶媒体の所持者における身体の一部分、または記憶媒体の所持者が所持する物品のいづれかであることを特徴とする。
【００１１】
また、本発明の携帯電話機は、本人確認用に撮影された画像が記憶された記憶手段と、処理装置から画像を表示させるための指示信号を受信する手段と、前記指示信号を受信した場合に、前記記憶手段に記憶されている画像を表示する表示手段とを有することを特徴とする。
【００１２】
更に、本発明の携帯電話機を利用した本人確認システムは、記憶媒体と、処理装置と、携帯電話機とにより、前記携帯電話機の表示手段に表示させた画像に基づき、前記記憶媒体の所持者について、視覚的に本人確認を行なえるようにした携帯電話機を利用した本人確認システムであって、前記携帯電話機は、認証アプリケーションプログラムが記憶された記憶手段と、前記所持者の本人確認を行なうための被写体の撮影を行なう撮影手段と、前記撮影手段で撮影された画像データを前記記憶手段に記憶させる画像登録手段と、表示手段と、処理装置からの信号を受信した場合に前記記憶手段に記憶されている画像データを前記表示手段に表示させる制御手段と、を有し、前記処理装置は、前記記憶媒体が前記処理装置にセットされた場合に、前記携帯電話機に対して、前記携帯電話機の記憶手段に記憶された画像データを、前記携帯電話機の表示手段に表示させるための信号を送信する手段を有する、ことを特徴とする。
【発明の効果】
【００１３】
本発明の携帯電話機を利用した本人確認方法は、その場で本人自身と、予め撮影した本人の画像とを目視で照合して確認できるので、第三者がその本人に成りすましても、本人でないことを大掛かりな設備を用意することなく、また少ないコストで簡単に見破ることができるという効果がある。
【００１４】
また、本発明の携帯電話機を利用した本人確認方法は、事前に認証用情報による照合処理を行い、照合一致した場合にだけ処理装置から携帯電話機に対して予め登録させた画像を表示させる信号を送信するので、第三者に携帯電話機を盗まれたとしても、その第三者が携帯電話機に登録されている画像を知ることができないので、不正行為を防止することができるという効果がある。
【００１５】
更に、本発明の携帯電話機を利用した本人確認方法は、記憶媒体が、クレジットカードであることで、クレジットカードの使用者がそのカードを使用する権限を有する本人であるか否かを確認することができ、不正使用者による使用を防ぐことができるという効果がある。
【００１６】
また、本発明の携帯電話機を利用した本人確認方法は、被写体が、記憶媒体の所持者における身体の一部分、または記憶媒体の所持者が所持する物品のいづれかであるので、第三者に携帯電話機を盗まれたとしても、その第三者が携帯電話機に登録されている画像を知ることができないので、不正行為を防止することができるという効果がある。
【００１７】
更に、本発明の携帯電話機は、本人確認用に撮影された画像を記憶させておき、必要なときにその画像を表示することができるので、目視による本人確認を簡単に行なうことができるという効果がある。
【００１８】
また、本発明の携帯電話機を利用した本人確認システムは、その場で本人自身と、予め撮影した本人の画像とを目視で照合して確認できるので、第三者がその本人に成りすましても、本人でないことを大掛かりな設備を用意することなく、また少ないコストで簡単に見破ることができるという効果がある。
【発明を実施するための最良の形態】
【００１９】
以下、本発明の実施形態に係る携帯電話機、及び携帯電話機を利用した本人確認方法及びシステムについて、図面に基づいて詳細に説明する。
図１は、本発明の実施形態に係る携帯電話機を利用した本人確認方法及びシステムの概要を説明する図、図２は、本発明の実施形態に係る携帯電話機を利用した本人確認方法及びシステムに関するシステム構成を説明する図、図３は、本発明の実施形態に係る携帯電話機を利用した本人確認方法及びシステムの本人確認を行なう状態を説明する図、図４は、本発明の実施形態に係る携帯電話機を利用した本人確認方法及びシステムにおいて、携帯電話機の表示手段に本人の画像を表示させた状態を示す図、図５は、本発明の実施形態に係る携帯電話機を利用した本人確認方法及びシステムの処理手順を示すフローチャートである。
【００２０】
図１に示すように、本発明の実施形態に係る携帯電話機を利用した本人確認システムは、利用者本人１が所持する記憶媒体であるクレジットカード２と、利用者本人１の携帯電話機３と、クレジットカード２を使用できるクレジット加盟店などに設置された処理装置４と、管理用のサーバ５とから構成されている。
管理用のサーバ５は、インターネット６及び携帯電話通信網７を介して携帯電話機３と通信可能に接続され、更に、インターネット６を介して処理装置４と通信可能に接続されている。
【００２１】
管理用のサーバ５の記憶手段３１には、クレジットカード会社が管理する認証アプリケーションプログラムが登録され、利用者本人１は、携帯電話機３を用いて管理用のサーバ５とアクセスして、管理用のサーバ５から携帯電話機３に認証アプリケーションプログラムをダウンロードさせて、携帯電話機３内に認証アプリケーションプログラムを取り込むことで、その後、クレジット加盟店においてクレジットカードを利用して支払いを行なう際の本人確認が必要な場合に、携帯電話機３によりこの認証アプリケーションプログラムに基づいた一連の処理を実行可能にしてある。
この認証アプリケーションプログラムは、クレジットカード会社がクレジットカード利用者だけに対して提供するプログラムであって、この認証アプリケーションプログラムを入手する際には、認証処理が行なわれて不正使用を防止している。
携帯電話機３は、被写体の撮影を行なう撮影手段を有し、本人確認の際に必要な顔などを撮影して記憶できるようにしてある。
【００２２】
図２に基づいて、本発明の実施形態に係る携帯電話機を利用した本人確認システムのシステム構成を説明する。
まず、携帯電話機３には、キー入力手段８、表示手段９、撮影手段１０、画像登録手段１１、記憶手段１２、通信手段１３、電池１４、無線送受信手段１５、スピーカ１６、マイク１７、音声制御手段１８、制御手段１９、などが備えられている。
撮影手段１０は、カメラ機能を有し被写体を撮影して画像を取り込み、画像登録手段１１により記憶手段１２に記憶させる。
無線送受信手段１５は、赤外線通信機能を備え、処理装置４に備えられている無線送受信手段２１との間で通信可能に構成されている。
【００２３】
また、携帯電話機３を用いて本人確認を行なう際には、予めサーバ５から携帯電話機３にダウンロードさせた認証アプリケーションプログラムを起動させるために、キー入力手段８から認証アプリケーションプログラム起動の選択指示の入力を行なう必要があり、認証アプリケーションプログラムが起動されることで、撮影手段１０により撮影した画像情報が記憶手段１２の中の認証用データエリアに記憶されて、本人確認を行なう際に使用できるようにしてある。
また、携帯電話機３の記憶手段１２には、予め認証用情報が記憶されている。
【００２４】
また、処理装置４には、表示手段２０、無線送受信手段２１、通信手段２２、カードリーダ２３、認証用情報読取手段２４、認証用情報照合手段２５、信号送信制御手段２６、入力手段２７、記憶手段２８、制御手段２９、などが備えられている。
無線送受信手段２１は、赤外線通信機能を備え、携帯電話機３に備えられている無線送受信手段１５との間で通信可能に構成されており、携帯電話機３の無線送受信手段１５に対して、認証アプリケーションプログラムに基づいて記憶手段１２に記憶された画像情報を、携帯電話機３の表示手段９に表示させることを命令する信号を送信する。
【００２５】
この信号は、信号送信制御手段２６によりコントロールされ、信号送信制御手段２６は、カードリーダ２３によりクレジットカード２に記憶されているクレジットカード固有の情報を読み取った場合にだけ、その信号の送信を行なうように制御されている。
処理装置４の記憶手段２８には、予め認証用情報が登録されている。
【００２６】
次に、サーバ５には、通信手段３０、記憶手段３１、認証用情報照合手段３２、制御手段３３、などが備えられている。
サーバ５の記憶手段３１には、予め認証用情報が登録されている。
【００２７】
次に、本発明の実施形態に係る携帯電話機を利用した本人確認システムの処理手順について説明する。
まず、記憶媒体であるクレジットカードの所持者、つまり利用者本人は、携帯電話機３からクレジットカード会社の管理用のサーバとアクセスして、認証アプリケーションプログラムを携帯電話機３にダウンロードさせる。（ステップＳ１）
【００２８】
利用者は、携帯電話機３のキー入力手段８を操作して認証アプリケーションプログラムの起動させ、認証アプリケーションプログラムに基づいた処理を実行させる。（ステップＳ２）
そして、携帯電話機３の撮影手段１０により、利用者本人の顔を撮影して、撮影された顔画像を記憶手段１２に記憶させる。（ステップＳ３）
【００２９】
次に、図３に示すように、利用者が、クレジットカードを使用して買物を行なうクレジットカード加盟店において、持参したクレジットカード２をカードリーダ２３に挿入する。（ステップＳ４）
そして、持参した携帯電話機３を加盟店に備えられている処理装置４に近づけて、携帯電話機３の記憶手段１２に登録されている認証用情報を処理装置４に送信する。（ステップＳ５）
認証用情報を受信した処理装置４は、処理装置４の記憶手段２８に予め登録されている認証用情報と、受信した認証用情報とで照合する。（ステップＳ６）
この照合で、照合一致した場合には、処理装置４の無線送受信手段２１から携帯電話機３の無線送受信手段１５に対して、携帯電話機３の記憶手段１２に記憶されている顔画像を表示手段９に表示させることを指示する命令信号を送信する。（ステップＳ７）
【００３０】
携帯電話機３は、処理装置４からの命令信号を受信することにより、図４に示すように、携帯電話機３の記憶手段１２に記憶されている顔画像が表示手段９に表示される。（ステップＳ８）
そして、加盟店の店員は、携帯電話機３の表示手段９に表示された顔画像と、その場に来店している顧客である利用者本人の顔とを見比べることで、目視により照合する。（ステップＳ９）
この目視による照合により、その利用者が正規にクレジットカードを使用する権限を有する者であるか否かを確認する。
【００３１】
また、上記の処理では、処理装置４において認証用情報の照合処理を行ったが、処理装置４に認証用情報を記憶させておかない場合には、サーバ５側に認証用情報を記憶させておき、サーバ５で認証用情報に基づく照合処理を行なうようにしてもよい。
この場合には、携帯電話機３の記憶手段１２に記憶された認証用情報を処理装置４で読み取った後に、処理装置４からインターネット６などの通信回線を介してサーバ５に認証用情報を送信する。
そして、サーバ５において、サーバ５に予め登録されている認証用情報との照合処理を行なう、サーバ５から処理装置４に対して、認証用情報による照合処理の結果を送信するようにする。
そして、処理装置４で受信した照合処理の結果が一致した場合に、処理装置４から携帯電話機３に対して、顔画像を表示手段９に表示させる信号を送信する。
【００３２】
また、上記実施形態では、記憶媒体がクレジットカードである場合について説明したが、クレジットカード以外の種々の記憶媒体を使用する際においても、本人確認を行なう必要がある場合には同様の処理により確認を行なうことができる。
【００３３】
また、携帯電話機３の撮影手段１０で本人確認用に撮影する被写体は、顔に限定されるものではなく、記憶媒体の所持者における身体の一部分、または記憶媒体の所持者が所持する物品などであってもよい。
【図面の簡単な説明】
【００３４】
【図１】本発明の実施形態に係る携帯電話機を利用した本人確認方法及びシステムの概要を説明する図である。
【図２】本発明の実施形態に係る携帯電話機を利用した本人確認方法及びシステムに関するシステム構成を説明する図である。
【図３】本発明の実施形態に係る携帯電話機を利用した本人確認方法及びシステムの本人確認を行なう状態を説明する図である。
【図４】本発明の実施形態に係る携帯電話機を利用した本人確認方法及びシステムにおいて、携帯電話機の表示手段に本人の画像を表示させた状態を示す図である。
【図５】本発明の実施形態に係る携帯電話機を利用した本人確認方法及びシステムの処理手順を示すフローチャートである。
【符号の説明】
【００３５】
１  利用者本人
２  クレジットカード
３  携帯電話機
４  処理装置
５  サーバ
６  インターネット
７  携帯電話通信網
８  キー入力手段
９，２０  表示手段
１０  撮影手段
１１  画像登録手段
１２，２８，３１  記憶手段
１３，２２，３０  通信手段
１４  電池
１５，２１  無線送受信手段
１６  スピーカ
１７  マイク
１８  音声制御手段
１９  制御手段
２３  カードリーダ
２４  認証用情報読取手段
２５，３２  認証用情報照合手段
２６  信号送信制御手段
２７  入力手段
【図１】
2006059205.tif 000003
【図２】
2006059205.tif 000004
【図３】
2006059205.tif 000005
【図４】
2006059205.tif 000006
【図５】
2006059205.tif 000007